(57)【特許請求の範囲】
【請求項１】
地熱を採熱する採熱システムにおいて、
地中に埋設された少なくとも１つの採熱器であって、地熱と熱交換させるための流体が循環する採熱器と、
流体を循環させるポンプと、
前記ポンプの作動を制御して流体の循環流量を調節する制御装置とを備え、
前記制御装置は、
前記採熱器周囲の地中温度と流体の温度との温度差を示す第１パラメータに基づいて前記採熱器に流体を循環させる場合と当該循環を停止させる場合とを切り替える切替処理、並びに
前記採熱器での熱交換効率を示す第２パラメータに基づいて流体の循環流量を調節する流量調整処理が実行可能であり、
前記流量調整処理では、前記第２パラメータに基づいて前記採熱器にて採熱可能な熱量（以下、推定熱量という。）を推定するとともに、当該推定熱量が負荷側が要求する熱量以上となるように循環流量を調節し、
さらに、
前記制御装置は、前記採熱器に流入する流体と前記採熱器から流出する流体との温差度、及び循環流量に基づいて採熱された実績採熱量を算出する採熱量算出処理、並びに
前記採熱量算出処理にて算出された実績採熱量及び前記推定熱量に基づいて前記第２パラメータを補正する熱交換率補正処理
が実行可能であることを特徴とする採熱システム。
【請求項２】
前記切替処理では、前記第１パラメータが第１閾値未満のときには流体の循環を停止させ、かつ、前記第１パラメータが第２閾値以上のときには流体を循環させることを特徴とする請求項１に記載の採熱システム。
【請求項３】
前記採熱器として複数の採熱器を有しているとともに、それら採熱器が所定寸法以上離隔した状態で地中に埋設されており、
前記切替処理では、前記複数の採熱器のうち流体を循環させる採熱器が選択的に切替られることを特徴とする請求項１又は２記載の採熱システム。
【請求項４】
前記流量調整処理では、前記採熱器の周囲地中温度と流体の温度との温度差が大きくなるほど前記流量を増大させ、当該温度が小さくなるほど前記流量を減少させることを特徴とする請求項１ないし３のいずれか１項に記載の地熱の採熱システム。
【発明の詳細な説明】
【技術分野】
【０００１】
本発明は、地熱を採熱する採熱システムに関する。
【背景技術】
【０００２】
例えば、特許文献１に記載の「地中熱ヒートポンプ装置」では、負荷運転中に、地中往き温度センサにより検出された熱媒温度の温度勾配が下り勾配の場合は、地中熱循環ポンプの回転数を増加させ、かつ、地中往き温度センサにより検出された熱媒温度の温度勾配が上り勾配の場合は、地中熱循環ポンプの回転数を減少させている。
【先行技術文献】
【特許文献】
【０００３】
【特許文献１】特開２０１０−２４９４６８号公報
【発明の概要】
【発明が解決しようとする課題】
【０００４】
地熱温度は年間を通じて比較的に安定しているので、例えば、冷房や暖房等の空調用熱源として利用することが可能である。地熱を採熱するには、通常、採熱器を地中に埋設し、当該採熱器に流体を循環させて採熱器周囲の地熱と当該流体とを熱交換して地熱を採集する。
【０００５】
しかし、連続的に地熱が採集し続けられると、採熱器周囲が流体によって加熱又は冷却されるので、採熱器周囲の地中温度が上昇又は低下する。具体的には、温熱が連続的に採集し続けられると、地中温度が低下する。冷熱が連続的に採集し続けられると、地中温度が上昇する。
【０００６】
このため、例えば、地熱を熱源とした空調装置では、室内の空気温度を適切に調整することが難しくなるおそれがある。
本発明は、上記点に鑑み、効率よく地熱を採集することが可能な採熱システムを提供することを目的とする。
【課題を解決するための手段】
【０００７】
本願では、地中に埋設された少なくとも１つの採熱器（３）であって、地熱と熱交換させるための流体が循環する採熱器（３）と、流体を循環させるポンプ（５Ａ）と、ポンプ（５Ａ）の作動を制御して流体の循環流量を調節する制御装置（７）とを備え、制御装置（７）は、採熱器（３）周囲の地中温度と流体の温度との温度差を示す第１パラメータに基づいて採熱器（３）に流体を循環させる場合と当該循環を停止させる場合とを切り替える切替処理、並びに採熱器（３）での熱交換効率を示す第２パラメータに基づいて流体の循環流量を調節する流量調整処理が実行可能である。
【０００８】
これにより、本発明では、「採熱器（３）周囲の地中温度と流体の温度との温度差（以下、地熱温度差という。」及び「採熱器（３）での熱交換効率」に基づいて切替タイミング及び循環流量が決定される。したがって、連続的に地熱が採集され場合であっても、採集された地熱の温度、つまり採熱器（３）から流出する流体の温度が大きく変動してしまうことを抑制できる。
【０００９】
なお、本発明は、以下のように構成してもよい。
切替処理では、第１パラメータが第１閾値未満のときには流体の循環を停止させ、かつ、第１パラメータが第２閾値以上のときには流体を循環させる。これにより、地熱温度差が小さい場合には採熱が中断され、地熱温度差が大きい場合に採熱が実行される。したがって、採熱効率が大きく低下することを抑制できる。
【００１０】
なお、第１閾値及び第２閾値のうち少なくとも一方の値は、予め設定された固定値、又は例えば、後述する必要熱量に基づいて制御装置（７）が設定した値等である。
流量調整処理では、第２パラメータに基づいて採熱器（３）にて再熱可能な熱量（以下、推定熱量という。）を推定するとともに、当該推定熱量が負荷側が要求する熱量（以下、必要熱量という。）以上となるように循環流量を調節する。これにより、必要熱量を確保しながら採熱を実行することが可能となる。
【００１１】
制御装置（７）は、採熱器（３）に流入する流体と採熱器（３）から流出する流体との温差度、及び循環流量に基づいて採熱された実績採熱量を算出する採熱量算出処理、並びに採熱量算出処理にて算出された実績採熱量及び推定熱量に基づいて第２パラメータを補正する熱交換率補正処理が実行可能である。これにより、推定熱量が実績熱量に対して大きく相違してしまうことを抑制できるので、確実に必要熱量を確保しながら採熱を実行することが可能となる。
【００１２】
採熱器（３）として複数の採熱器（３Ａ、３Ｂ）を有しているとともに、それら採熱器（３）が所定寸法以上離隔した状態で地中に埋設されており、切替処理では、複数の採熱器（３Ａ、３Ｂ）のうち流体を循環させる採熱器（３）が選択的に切替られる。
【００１３】
これにより、採熱が中断されている採熱器（３）と採熱中の採熱器（３）とが選択的に切り替えられながら採熱される。つまり、採熱システム全体としては、採熱が中断することなく、連続的に実行されることになる。
【００１４】
流量調整処理では、採熱器（３）の周囲地中温度と流体の温度との温度差が大きくなるほど流量を増大させ、当該温度が小さくなるほど流量を減少させる。これにより、採熱温度が大きく変動してしまうことを抑制でき得る。
【００１５】
因みに、上記各括弧内の符号は、後述する実施形態に記載の具体的構成等との対応関係を示す一例であり、本発明は上記括弧内の符号に示された具体的構成等に限定されるものではない。
【図面の簡単な説明】
【００１６】
【図１】本発明の第１実施形態に係る採熱システム１の模式図である。
【図２】採熱量及び地熱温度の変化を示すグラフである。
【図３】第２パラメータαの変化を示すグラフである。
【図４】本発明の第１実施形態に係る採熱システム１の作動を示すフローチャートである。
【図５】採熱量及び地熱温度の変化を示すグラフである。
【図６】本発明の第２実施形態に係る採熱システム１の模式図である。
【発明を実施するための形態】
【００１７】
以下に説明する「発明の実施形態」は実施形態の一例を示すものである。つまり、特許請求の範囲に記載された発明特定事項等は、下記の実施形態に示された具体的構成や構造等に限定されるものではない。
【００１８】
以下、本発明の実施形態を図面と共に説明する。各図に付された方向を示す矢印等は、各図相互の関係を理解し易くするために記載したものである。本発明は、各図に付された方向に限定されるものではない。少なくとも符号を付して説明した部材又は部位は、「複数」や「２つ以上」等の断りをした場合を除き、少なくとも１つ設けられている。
【００１９】
（第１実施形態）
１．概要
本実施形態は、図１に示すように、冷房用空調装置２の冷熱源として本発明に係る採熱システム１を適用したものである。つまり、採熱システム１は、地中の冷熱を採熱して冷房用空調装置２に供給する。
【００２０】
なお、「地中の冷熱」とは「地熱」である。地熱温度は、地上温度に比べて変動が小さく安定している。さらに、地熱温度は、通常、サーバ室等の発熱機器が据え付けられた室内の空気温度より低い。そこで、本実施形態では、地熱を冷熱として利用することにより、サーバ室等を冷房する。
【００２１】
冷房用空調装置２内にはファンコイルユニットが設けられている。ファンコイルユニットは、室内に供給される空気と地熱（冷熱）とを熱交換するための室内熱交換器２Ａ、及び当該室内熱交換器２Ａにより冷却された空気を室内に供給するファン２Ｂ等を有して構成されている。
【００２２】
２．採熱システム
２．１  採熱システムの概要
採熱システム１は、採熱器３、第１ポンプ５Ａ、第２ポンプ５Ｂ及び制御装置７等を有して構成されている。採熱器３は、地中に埋設され、地熱と熱交換させるための第１流体が循環する。
【００２３】
本実施形態では、少なくとも２つの採熱器３、つまり第１採熱器３Ａ及び第２採熱器３Ｂが地中に埋設されている。なお、第１採熱器３Ａ及び第２採熱器３Ｂを総称する際には、採熱器３と記す。
【００２４】
複数の採熱器３それぞれは、予め決められた所定寸法Ｗ１以上離隔した状態で地中に埋設されている。「所定寸法Ｗ１」は、後述する「切替処理及び流量調整処理」を適切に実行するための寸法として、実験的又はコンピュータシミレーション等の手法により試行錯誤的に決められる寸法である。
【００２５】
第１ポンプ５Ａは第１流体を循環させるためのポンプである。本実施形態に係る第１ポンプ５Ａは、採熱器３と熱交換器９との間で第１流体を循環させる。熱交換器９は、室内熱交換器２Ａに循環させる第２流体と第１流体とを熱交換する。
【００２６】
第２ポンプ５Ｂは、室内熱交換器２Ａと熱交換器９との間で第２流体を循環させる。制御装置７は、第１ポンプ５Ａ及び第２ポンプ５Ｂの作動を制御して第１流体及び第２の循環流量を調節する。なお、制御装置７は、ＣＰＵ、ＲＡＭ及びＲＯＭ等を有するコンピュータにより構成されている。
【００２７】
制御装置７には、第１〜第６温度センサＴＨ１〜ＴＨ６の検出信号が入力されている。第１温度センサＴＨ１は、熱交換器９から流出して採熱器３に流入する第１流体の温度（以下、採熱器流入温度ＴＧＯという。）を検出する。
【００２８】
第２温度センサＴＨ２は、採熱器３から流出して熱交換器９に流入する第１流体の温度（以下、採熱器流出温度ＴＧＲという。）を検出する。第３温度センサＴＨ３は、熱交換器９から流出して室内熱交換器２Ａに流入する第２流体の温度（以下、室内熱交換器流入温度ＴＷＯという。）を検出する。
【００２９】
第４温度センサＴＨ３は、室内熱交換器２Ａから流出して熱交換器９に流入する第２流体の温度（以下、室内熱交換器流出温度ＴＷＲという。）を検出する。第５温度センサＴＨ５は第１採熱器３Ａ周囲の地熱温度Ｔ１を検出する。第６温度センサＴＨ６は第２採熱器３Ｂ周囲の地熱温度Ｔ２を検出する。
【００３０】
２．２  制御装置によるポンプ制御
２．２．１  ポンプ制御の概要
制御装置７は、熱交換器９が第２流体に供給する冷熱量（以下、供給熱量ＱＧという。）、及び冷房用空調装置２で必要とされる冷熱量（以下、必要熱量Ｑという。）に基づいて第１ポンプ５Ａ及び第２ポンプ５Ｂの作動を制御する。
【００３１】
すなわち、本実施形態に係る制御装置７は、室内熱交換器流入温度ＴＷＯと室内熱交換器流出温度ＴＷＲと温度差ΔＴＷが予め決められた温度範囲ΔＴＷｏとなるように、第２ポンプ５Ｂの回転数を制御する。
【００３２】
具体的には、冷房用空調装置２の冷房負荷が大きくなると、必要熱量Ｑが大きくなり温度差ΔＴＷが大きくなる。そして、温度差ΔＴＷが、予め決められた温度範囲ΔＴＷｏを越えたときには、制御装置７は、第２ポンプ５Ｂの回転数を増大させて第２流体の循環流量を増大させる。
【００３３】
冷房用空調装置２の冷房負荷が小さくなると、必要熱量Ｑが小さくなり温度差ΔＴＷが小さくなる。そして、温度差ΔＴＷが温度範囲ΔＴＷｏ以下となったときには、制御装置７は、第２ポンプ５Ｂの回転数を低減又は停止させて第２流体の循環流量を減少させる。
【００３４】
制御装置７は、以下、切替制御及び流量調整処理と相反しない範囲において、第２ポンプ５Ｂの回転数に対応させて第１ポンプ５Ａの回転数を増減制御する。つまり、供給熱量ＱＧが必要熱量Ｑとなるように第１ポンプ５Ａの作動を制御する。
【００３５】
具体的には、必要熱量Ｑが大きくなり、第２ポンプ５Ｂの回転数が増大した場合には、制御装置７は、第１ポンプ５Ａの回転数を増大させて第１流体の循環流量を増大させる。必要熱量Ｑが小さくなり、第２ポンプ５Ｂの回転数が低下した場合には、制御装置７は、第１ポンプ５Ａの回転数を低下させて第１流体の循環流量を減少させる。
【００３６】
２．２．２  第１ポンプ制御の概要
地熱温度は、室内空気温度に比べると、温度変化が小さい。しかし、第１流体を連続的に循環させて連続して採熱し続けると、採熱器３周囲が第１流体により加熱されて採熱器３周囲の地熱温度が上昇してしまう。
【００３７】
採熱器３周囲の地熱温度が上昇すると、第１流体との温度差小さくなり、採熱量が低下して採熱効率が低下する。そこで、本実施形態に係る制御装置７は、採熱器３周囲の地中温度と流体の温度との温度差を示す第１パラメータに基づいて採熱器３に第１流体を循環させる場合と当該循環を停止させる場合とを切り替える切替処理が実行可能である。
【００３８】
本実施形態に係る第１パラメータは、採熱器流入温度ＴＧＯと各採熱器３Ａ、３Ｂの周囲地熱温度Ｔ１、Ｔ２の平均値Ｔａｖｅとの温度差の絶対値である。平均値Ｔａｖｅは、各地熱温度の総和（ΣＴｎ）を採熱器３の個数で徐した値（＝（ΣＴｎ）／ｎ）である。
【００３９】
そして、制御装置７は、切替処理において、第１パラメータが第１閾値未満のときには第１ポンプ５Ａを停止させて第１流体の循環を停止させ、かつ、第１パラメータが第２閾値以上のときには第１ポンプ５Ａを稼働させて第１流体を循環させる。
【００４０】
本実施形態では、第１閾値と第２閾値とは同一の値であるが、第１閾値と第２閾値とを異なる値としてもよい。この場合、第１閾値を第２閾値より小さい値とすることが望ましい。なお、第１閾値及び第２閾値の具体的な値は、実験的又はコンピュータシミレーション等の手法により試行錯誤的に決められる値である。
【００４１】
因みに、図２は、第１ポンプ５Ａの回転数、つまり第１流体の循環流量が一定の状態で切替処理が実行された場合の「各採熱器３Ａ、３Ｂの周囲地熱温度Ｔ１、Ｔ２の平均値Ｔａｖｅ」及び「採熱量」を示すグラフである。
【００４２】
採熱が実行されと、図２に示すように、採熱器３周囲の地熱温度が上昇して採熱量が低下する。第１パラメータが第１閾値未満のときには第１ポンプ５Ａが停止するため、採熱器３周囲の地熱温度が降下していく。そして、第１パラメータが第２閾値以上のときには第１ポンプ５Ａを稼働するので、採熱が実行され、採熱器３周囲の地熱温度が次第に上昇していく。
【００４３】
つまり、第１流体の循環流量が一定の状態で切替処理が実行されると、採熱器３での熱交換効率が低下し、採熱量が次第に低下していく。そこで、制御装置７は、採熱器３での熱交換効率を示す第２パラメータに基づいて第１流体の循環流量、つまり第１ポンプ５Ａの回転数を調節する流量調整処理が実行可能である。
【００４４】
すなわち、制御装置７は、流量調整処理において、第２パラメータに基づいて採熱器３にて採熱可能な熱量（以下、推定熱量という。）を推定するとともに、当該推定熱量が負荷側が要求する熱量、つまり必要熱量Ｑ以上となるように循環流量を調節する。
【００４５】
推定熱量は、制御装置７が理論的に供給熱量ＱＧを演算・推定した値である。つまり、演算・推定に関して、実用上十分な精度を確保できる場合には、推定熱量は供給熱量ＱＧと一致する。そこで、本実施形態では、推定熱量を供給熱量ＱＧとしている。以下、推定熱量を推定熱量ＱＧとも記す。
【００４６】
なお、本実施形態に係る制御装置７は、推定熱交換量ＱＧ＝ｆ１（α×（ＴＧＯ−Ｔａｖｅ）×ＶＧ）とし、要求熱量Ｑと推定熱量ＱＧとが同値となるように、第１流体の循環流量である採熱流量ＶＧ＝ｆ２（ＱＧ，α，ＴＧＯ，Ｔａｖｅ）を制御する。なお、αは、第２パラメータである。「ｆ１、ｆ２」は括弧内のパラメータの関数であることを示す。
【００４７】
つまり、推定熱交換量ＱＧ＝ｆ１（α×（ＴＧＯ−Ｔａｖｅ）×ＶＧ）から明らかなように、採熱流量ＶＧは、推定熱量ＱＧ、採熱器流入温度ＴＧＯ及び地熱平均値Ｔａｖｅの関数となる（図３参照）。
【００４８】
そして、要求熱量Ｑと推定熱量ＱＧとが同値となるように、第１流体の循環流量（採熱流量ＶＧ）が制御されると、循環流量（採熱流量ＶＧ）は、採熱器３の周囲地中温度と第１流体の温度との温度差が大きくなるほど増大し、当該温度が小さくなるほど減少する。
【００４９】
２．２．３  第２パラメータについて
第２パラメータの具体的な値は、第１閾値及び第２閾値等と同様に、実験的又はコンピュータシミレーション等の手法により試行錯誤的に決められる値である。
【００５０】
しかし、採熱器３が埋設される部位によって、第２パラメータαが大きく異なる場合がある。そこで、本実施形態に係る制御装置７は、試行錯誤的に決められる値を第２パラメータαの初期値として採熱システム１の運転を開始した後、第２パラメータαを採熱システム１の運転中に自動的に補正・変更する。
【００５１】
すなわち、制御装置７は、採熱器流入温度ＴＧＯと採熱器流出温度ＴＧＲとの温差度、及び循環流量に基づいて採熱された実績採熱量ＱＡＲを算出する採熱量算出処理、並びに採熱量算出処理にて算出された実績採熱量ＱＡＲ及び推定熱量ＱＧに基づいて第２パラメータαを補正する熱交換率補正処理が実行可能である。
【００５２】
つまり、実績採熱量ＱＡＲ＝定数（比熱）×（ＴＧＯ−ＴＧＲ）×流採熱流量ＶＧである。制御装置７は、採熱システム１の運転開始後、予め決められた運転時間が経過した場合であって、予め決められた時間毎に定期的に、ＱＡＲ＝ＱＧを満たす第２パラメータαを演算し、当該演算結果を補正後の第２パラメータαとする。
【００５３】
２．３  制御作動の具体例
図４は、制御装置７が実行する制御作動の一例を示すフローチャートである。当該制御を実行するためのプログラムは、制御装置７又は制御装置７とは別に設けられたＲＯＭ等の不揮発性記憶部に記憶されている。制御装置７、つまりＣＰＵは当該ＲＯＭに記憶されているプログラムを読み出して実行する。
【００５４】
制御装置７、つまりＣＰＵは、先ず、予め決められた初期値を第２パラメータαの具体的な値として設定する（Ｓ１）。ＣＰＵは、採熱器流入温度ＴＧＯ、採熱器３の平均地熱温度Ｔａｖｅ及び必要熱量Ｑ等の値を取得する（Ｓ３）。
【００５５】
ＣＰＵは、推定熱量ＱＧを演算した後（Ｓ５）、流採熱流量ＶＧを決定し、その決定した流採熱流量ＶＧとなるように第１ポンプ５Ａを制御する（Ｓ７）。次に、ＣＰＵは、上記手法に従って第２パラメータαを補正する（Ｓ９）。なお、本制御は、採熱システム１の起動とともに実行され、採熱システム１が停止すると、停止する。
【００５６】
３．本実施形態に係る採熱システムの特徴
本実施形態では、「採熱器３周囲の地中温度と流体の温度との温度差（以下、地熱温度差という。）」及び「採熱器３での熱交換効率」に基づいて切替タイミング及び循環流量が決定される。したがって、連続的に地熱が採集され場合であっても、採集された地熱の温度、つまり採熱器３から流出する第１流体の温度や採熱量が大きく変動してしまうことを抑制できる（図５）。
【００５７】
切替処理では、第１パラメータが第１閾値未満のときには流体の循環を停止させ、かつ、第１パラメータが第２閾値以上のときには流体を循環させる。これにより、地熱温度差が小さい場合には採熱が中断され、地熱温度差が大きい場合に採熱が実行される。したがって、採熱効率が大きく低下することを抑制できる。
【００５８】
流量調整処理では、第２パラメータに基づいて採熱器３にて採熱可能な熱量、つまり推定熱量ＱＧを推定するとともに、当該推定熱量ＱＧが負荷側が要求する熱量、つまり必要熱量Ｑ以上となるように循環流量を調節する。これにより、必要熱量Ｑを確保しながら採熱を実行することが可能となる。
【００５９】
制御装置７は、採熱量算出処理及び熱交換率補正処理が実行可能である。これにより、推定熱量が実績熱量に対して大きく相違してしまうことを抑制できるので、確実に必要熱量を確保しながら採熱を実行することが可能となる。
【００６０】
流量調整処理では、採熱器３の周囲地中温度と流体の温度との温度差が大きくなるほど流量を増大させ、当該温度が小さくなるほど流量を減少させる。これにより、採熱温度が大きく変動してしまうことを抑制でき得る。
【００６１】
（第２実施形態）
上述の実施形態に係る制御装置７は、複数の採熱器３に対して同時に切替処理を実行していた。これに対しては、本実施形態に係る制御装置７は、切替処理において、複数の採熱器３Ａ、３Ｂのうち第１流体を循環させる採熱器と第１流体を循環させない採熱器とを選択的に切り替える。
【００６２】
すなわち、図６に示すように、本実施形態では、第１流体を第１採熱器３Ａに循環させて第２採熱器３Ｂに循環させない場合と第１流体を第２採熱器３Ｂに循環させて第１採熱器３Ａに循環させない場合とを切り替えるバルブ１１が設けられている。
【００６３】
制御装置７は、第１採熱器３Ａについての第１パラメータが第２閾値以上のときに第１流体を第１採熱器３Ａに循環させて第２採熱器３Ｂに循環させない。そして、制御装置７は、第１採熱器３Ａについての第１パラメータが第１閾値未満となったときに第１採熱器３Ａへの第１流体の循環を停止させる。
【００６４】
このとき、第２採熱器３Ｂについての第１パラメータが第２閾値以上のときには、制御装置７は第１流体を第２採熱器３Ｂに循環させる。そして、第２採熱器３Ｂについての第１パラメータが第１閾値未満となったときに、制御装置７は、第２採熱器３Ｂへの第１流体の循環を停止させる。
【００６５】
このとき、第１採熱器３Ａについての第１パラメータが第２閾値以上のときには、制御装置７は第１流体を第１採熱器３Ａに循環させる。このように、制御装置７は、第１流体を循環させる採熱器を選択的に切り替える。
【００６６】
以上のように、本実施形態では、採熱が中断されている採熱器３と採熱中の採熱器３とが選択的に切り替えられながら採熱される。つまり、採熱システム１全体としては、採熱が中断することなく、連続的に実行されることになる。
【００６７】
（その他の実施形態）
上述の実施形態では、第１閾値及び第２閾値は、予め決められた固定値であったが、本発明はこれに限定されるものでない。すなわち、例えば、必要熱量Ｑに基づいて、制御装置７が予め決められたプログラム等に従って決定する値、又は採熱システム１の管理者又は施工者等が、採熱システム１の運転状況に応じて適宜設定する値であってもよい。
【００６８】
上述の実施形態では、熱交換率補正処理が実行可能であったが、本発明はこれに限定されるものではなく、例えば熱交換率補正処理を廃止し、予め決められた固定値としてもよい。
【００６９】
上述の実施形態では、地熱を冷熱として利用したが、本発明の適用はこれに限定されるものではなく、地熱を温熱として利用する採熱システムにも適用可能である。
また、本発明は、特許請求の範囲に記載された発明の趣旨に合致するものであればよく、上述の実施形態に限定されるものではない。したがって、上述した複数の実施形態を組み合わせてもよい。
【符号の説明】
【００７０】
１… 採熱システム
２… 冷房用空調装置
２Ａ… 室内熱交換器
３… 採熱器
３Ａ… 第１採熱器
３Ｂ… 第２採熱器
５Ａ… 第１ポンプ
５Ｂ… 第２ポンプ
７… 制御装置
９… 熱交換器
１１… バルブ
【図１】
0006621690.tif 000002
【図２】
0006621690.tif 000003
【図３】
0006621690.tif 000004
【図４】
0006621690.tif 000005
【図５】
0006621690.tif 000006
【図６】
0006621690.tif 000007